(57)【特許請求の範囲】
【請求項１】
調温手段を備えた空調機と，冷却塔を備え，前記空調機には外気を導くように構成すると共に，この外気が前記調温手段よりも前に通過する位置に予熱予冷用の熱交換器を配置し，この予熱予冷用の熱交換器と前記冷却塔に熱媒水を循環させる循環径路に送水手段を設けると共に，該循環径路に前記循環径路とは別の系統の熱媒と熱交換させて前記熱媒水を加熱することが可能な熱交換器を設け，かつ，この熱交換器を迂回して前記循環径路に熱媒水を流通させるバイパス路を設けたことを特徴とする，外気の予熱予冷設備。
【請求項２】
外気を処理する空調機に予熱予冷用の熱交換器を設け，この予熱予冷用の熱交換器に熱媒水を供給する循環径路に，熱媒水を外気に直接接触させて冷却する開放式冷却塔と熱媒水を加熱する加熱手段を設けると共に，開放式冷却塔を迂回させて循環径路に熱媒水を流通させるバイパス路と，加熱手段を迂回させて循環径路に熱媒水を流通させるバイパス路とをそれぞれ設けた予熱予冷設備であって，
冷房時には，予熱予冷用の熱交換器からの熱媒水を開放式冷却塔で冷却し，加熱手段を迂回させて予熱予冷用の熱交換器に戻すことにより，熱媒水の冷熱で外気を冷却し，
暖房時には，予熱予冷用の熱交換器からの熱媒水を開放式冷却塔を迂回させ，加熱手段で加熱して予熱予冷用の熱交換器に戻すことにより，熱媒水の温熱で外気を加熱し，
前記加熱手段は，前記予熱予冷用の熱交換器に供給される熱媒水と，前記循環径路とは別の系統の熱媒とを熱交換させる熱交換器であることを特徴とする，外気の予熱予冷設備。
【請求項３】
外気を処理する空調機に予熱予冷用の熱交換器を設け，この予熱予冷用の熱交換器に熱媒水を供給する循環径路に，水の蒸発潜熱で熱媒水を冷却する密閉式冷却塔と熱媒水を加熱する加熱手段を設けると共に，加熱手段を迂回させて循環径路に熱媒水を流通させるバイパス路を設けた予熱予冷設備であって，
冷房時には，予熱予冷用の熱交換器からの熱媒水を密閉式冷却塔で冷却し，加熱手段を迂回させて予熱予冷用の熱交換器に戻すことにより，熱媒水の冷熱で外気を冷却し，
暖房時には，予熱予冷用の熱交換器からの熱媒水を密閉式冷却塔で冷却せずに，加熱手段で加熱して予熱予冷用の熱交換器に戻すことにより，熱媒水の温熱で外気を加熱し，
前記加熱手段は，前記予熱予冷用の熱交換器に供給される熱媒水と，前記循環径路とは別の系統の熱媒とを熱交換させる熱交換器であることを特徴とする，外気の予熱予冷設備。
【請求項４】
前記別の系統の熱媒は，別の系統の冷凍機によって冷却された熱媒の一部であることを特徴とする，請求項１〜３のいずれかに記載の外気の予熱予冷設備。
【請求項５】
前記別の系統の熱媒は，別の系統の生産装置で昇温させられた熱媒であることを特徴とする，請求項１〜３のいずれかに記載の外気の予熱予冷設備。
【発明の詳細な説明】
【０００１】
【発明の属する技術分野】
本発明は，空調機によって処理される外気を予熱及び予冷する設備に関する。
【０００２】
【従来の技術】
従来より，フィルタや熱交換器，調湿器を備えた空調機で取り入れ外気を処理して空調空間に給気する空調方式が普及している。そしてこれらの空調方式では，夏期のような冷房時においては例えば冷水を用いて外気を冷却し，また冬期のような暖房時においては例えば温水を用いて外気を加熱して，空調空間に給気するようにしている。また特にクリーンルームでは，室内の湿度変化は循環風量に比べてわずかであることから，外調機で取入外気の湿度制御を行い，循環空気に対しては顕熱交換器で結露させずに温度制御させることが知られる。
【０００３】
【発明が解決しようとする課題】
しかしながら，冷水や温水を作るには相当のエネルギーが必要であり，特に外気を冷水のみで冷却したり，温水のみで加熱しようとすると，ランニングコストの点で問題があり，その解決が希求されていた。最近では，クリーンルームや電算センターなど，冬期であっても冷房負荷が必要な施設が増加しているが，仮にそのような冬期の冷房負荷によって生じた温熱などを利用して外気を予備的に加熱処理できれば，省エネルギー化をはかることが可能となる。また寒冷地では，冬には熱交換器内の水が凍結し熱交換器の破損事故が生じ，これに対し効果的な対策をとる必要があった。
【０００４】
本発明の目的は，空調機によって処理される外気を低コストで予熱及び予冷できる設備を提供することにある。
【０００５】
【課題を解決するための手段】
上記課題を解決するために，請求項１にあっては，調温手段を備えた空調機と，冷却塔を備え，前記空調機には外気を導くように構成すると共に，この外気が前記調温手段よりも前に通過する位置に予熱予冷用の熱交換器を配置し，この予熱予冷用の熱交換器と前記冷却塔に熱媒水を循環させる循環径路に送水手段を設けると共に，該循環径路に前記循環径路とは別の系統の熱媒と熱交換させて前記熱媒水を加熱することが可能な熱交換器を設け，かつ，この熱交換器を迂回して前記循環径路に熱媒水を流通させるバイパス路を設けたことを特徴とする，外気の予熱予冷設備である。
【０００６】
この請求項１の予熱予冷設備において，空調機に備えられる調温手段とは，例えば冷水が通水される冷却コイルと温水が通水される加熱コイルなどが例示される。冷却塔は，開放式冷却塔と密閉式冷却塔の何れであっても良い。また予熱予冷用の熱交換器は，空調機の内部と外部の何れに設けても良い。別の系統の熱媒とは，例えばクリーンルームやコンピュータ設置室などのように通年において冷房負荷が必要な施設で生じた高温冷水が例示される。また別の系統とは，予熱予冷用の熱交換器と前記冷却塔に熱媒水を循環させる循環径路と別の系統であればよく，例えば前記空調機に備えられる調温手段として用いられる冷却コイルや温水コイルに通水される冷水や温水なども熱媒として利用することが可能である。そのような別の系統で生じた高温冷水の温熱（排熱）や，その他，各種の生産装置などから排熱された温熱などを利用して，熱交換器により熱媒水を加熱することができる。なお熱交換器を迂回させる際に，バイパス路には必ずしも全部の熱媒水を流通させるとは限らない。例えば，熱媒水の一部を熱交換器に流通させ，残りを熱交換器を迂回させるようにしても良い。
【０００７】
この請求項１の予熱予冷設備にあっては，熱媒水を冷却塔で冷却して予熱予冷用の熱交換器に戻すことによって，空調機の調温手段で外気を冷却する前に予熱予冷用の熱交換器において外気を予め冷却することができるようになる。また熱媒水を熱交換器で加熱して予熱予冷用の熱交換器に戻すことによって，空調機の調温手段で外気を加熱する前に予熱予冷用の熱交換器において外気を予め加熱することができるようになる。このように，外気温の高い時には冷却塔によって外気の湿球温度程度まで冷却された熱媒水で外気を予備的に冷却処理することにより，空調機の調温手段の負荷を軽減することができる。また外気温が低い時には，別の系統の熱媒の温熱を利用して外気を予備的に加熱処理することにより，空調機の調温手段の負荷を軽減することができる。更に，外気を予備的に加熱処理した場合は，加熱に利用した別の系統の熱媒から熱を奪うことになるので，別の系統の熱媒をより低温にして返送することができ，当該別の系統の冷媒の冷却効率を向上させることもできるようになる。
【０００８】
請求項２にあっては，外気を処理する空調機に予熱予冷用の熱交換器を設け，この予熱予冷用の熱交換器に熱媒水を供給する循環径路に，熱媒水を外気に直接接触させて冷却する開放式冷却塔と熱媒水を加熱する加熱手段を設けると共に，開放式冷却塔を迂回させて循環径路に熱媒水を流通させるバイパス路と，加熱手段を迂回させて循環径路に熱媒水を流通させるバイパス路とをそれぞれ設けた予熱予冷設備であって，冷房時には，予熱予冷用の熱交換器からの熱媒水を開放式冷却塔で冷却し，加熱手段を迂回させて予熱予冷用の熱交換器に戻すことにより，熱媒水の冷熱で外気を冷却し，暖房時には，予熱予冷用の熱交換器からの熱媒水を開放式冷却塔を迂回させ，加熱手段で加熱して予熱予冷用の熱交換器に戻すことにより，熱媒水の温熱で外気を加熱し，前記加熱手段は，前記予熱予冷用の熱交換器に供給される熱媒水と，前記循環径路とは別の系統の熱媒とを熱交換させる熱交換器であることを特徴としている。
【０００９】
また請求項３にあっては，外気を処理する空調機に予熱予冷用の熱交換器を設け，この予熱予冷用の熱交換器に熱媒水を供給する循環径路に，水の蒸発潜熱で熱媒水を冷却する密閉式冷却塔と熱媒水を加熱する加熱手段を設けると共に，加熱手段を迂回させて循環径路に熱媒水を流通させるバイパス路を設けた予熱予冷設備であって，冷房時には，予熱予冷用の熱交換器からの熱媒水を密閉式冷却塔で冷却し，加熱手段を迂回させて予熱予冷用の熱交換器に戻すことにより，熱媒水の冷熱で外気を冷却し，暖房時には，予熱予冷用の熱交換器からの熱媒水を密閉式冷却塔で冷却せずに，加熱手段で加熱して予熱予冷用の熱交換器に戻すことにより，熱媒水の温熱で外気を加熱し，前記加熱手段は，前記予熱予冷用の熱交換器に供給される熱媒水と，前記循環径路とは別の系統の熱媒とを熱交換させる熱交換器であることを特徴としている。
【００１０】
この場合，別の系統の熱媒とは，例えばクリーンルームやコンピュータ設置室などのように冬期であっても冷房負荷が必要な施設で生じた高温冷水が例示される。そのような別の系統で生じた高温冷水の温熱（排熱）や，その他，各種の生産装置などから排熱された温熱などを利用して熱媒水を加熱することができる。これら請求項２，３の予熱予冷設備にあっては，例えば夏期のような冷房時には，熱媒水を開放式冷却塔や密閉式冷却塔によって冷却することにより，熱媒水をほぼ外気の湿球温度（ＷＢ）まで冷却することができ，その冷熱を利用して外気を冷却することにより，空調機によって外気を冷却処理するエネルギーを低減させることが可能となる。また冬期のような暖房時には，クリーンルームやコンピュータ設置室などのような施設や各種の生産装置などで生じた温熱を利用して熱媒水を加熱し，その温熱を利用して外気を加熱することにより，空調機によって外気を加熱処理するエネルギーを低減させることが可能となる。特に請求項３の予熱予冷設備にあっては，密閉式冷却塔を備えているので，熱媒水の劣化や設備の腐食などが抑制され，管理が容易であるといった利点がある。
【００１１】
【発明の実施の形態】
以下に，添付図面を参照しながら本発明の好ましい実施の形態にかかる予熱予冷設備を説明する。図１は，本発明の第１の実施の形態にかかる予熱予冷設備１の説明図である。
【００１２】
空調機１０は，給気ファン１１，加熱コイルなどからなる加熱用の熱交換器１２と冷却コイルなどからなる冷却用の熱交換器１３を備えた調温手段，フィルタ１４，及び図示しない調湿器（減湿器や加湿器）を備えている。またこの実施の形態では，空調機１０の内部において，外気が前述の熱交換器１２，１３（調温手段）よりも前に通過する位置に，コイルなどからなる予熱予冷用の熱交換器１５が設けられている。図示の例では，予熱予冷用の熱交換器１５は，空調機１０内の最も上流側に配置されている。そして給気ファン１１の稼働により，この実施の形態においては，図１において右向きに空調機１０内に外気を取り込んで，適宜加熱・加湿もしくは冷却・除湿された清浄な空気を作り出し，空調機１０から空調空間に給気することにより，冷房運転と暖房運転を適宜行うようになっている。
【００１３】
予熱予冷用の熱交換器１５には環状の循環径路１６が接続されており，送水手段であるポンプ１７の稼働によって図１において循環径路１６を反時計回転方向に送液される熱媒水が，熱交換器１５に循環供給されている。循環径路１６には，熱媒水を外気に直接接触させて冷却する開放式冷却塔２０と，熱媒水を加熱する加熱手段としての熱交換器２１が設られている。
【００１４】
開放式冷却塔２０は，循環径路１６を送液される熱媒水を散水装置２５から下向きに流し，充填材を介してファン２６の稼働によって上向きに送風した外気と直接接触させて冷却することにより，熱媒水をほぼ湿球温度（ＷＢ）まで冷却することが可能である。また，この実施の形態では，開放式冷却塔２０を迂回させて循環径路１６に熱媒水を流通させるバイパス路２７が設けられている。開放式冷却塔２０の上流側において循環径路１６に弁２８が設けられ，バイパス路２７に弁２９が設けられており，これら弁２８，２９を選択的に開くことにより，熱媒水を開放式冷却塔２０に送液する状態と，開放式冷却塔２０を迂回させてバイパス路２７に送液する状態とに切り換えるように構成されている。
【００１５】
熱交換器２１には，例えばクリーンルームなどのように冬期であっても冷房負荷が必要な施設で冷却処理に使用されて昇温した冷水（高温冷水：冷水還水）や，例えばクリーンルームにおいて循環空気に対して顕熱処理をするために生成された高温冷水の一部，各種の生産装置などにおいて冷却処理に使用されて昇温した冷却水（高温冷水）などといった別の系統の熱媒が径路３０を通じて供給されており，この径路３０を流れる熱媒と循環径路１６を通じて熱交換器２１に供給される熱源水との間で熱交換を行うことにより，熱交換器２１において熱源水を加熱することが可能である。
【００１６】
ここで図２は，熱交換器２１に熱媒を供給する別の系統を例示している。図２（ａ）は，径路３０に冷凍機５０と負荷機５１を設けたものであり，負荷機５１で昇温した熱媒が熱交換器２１に供給されるようになっている。図２（ｂ）は，径路３０に冷凍機５２と複数の顕熱交換器５３を並列に接続したものである。冷凍機５２によって冷却された熱媒の温度が高温である場合は，このように冷凍機５２によって冷却された熱媒の一部を熱交換器２１に供給するようにしても良い。この図２（ｂ）の熱媒としては，例えばクリーンルーム等において顕熱交換器に導かれる冷水などが例示される。図２（ｃ）は，径路３０に冷却塔５５と複数の生産装置５６を接続したものであり，生産装置５６で昇温させられた熱媒を冷却塔５５に戻す前に熱交換器２１に供給して，熱交換させるようになっている。
【００１７】
図１に示す予熱予冷設備１において，熱交換器２１を迂回させて循環径路１６に熱媒水を流通させるバイパス路３１が設けられている。熱交換器２１の下側において循環径路１６に弁３２が設けられ，バイパス路３１に弁３３が設けられており，これら弁３２，３３を選択的に開くことにより，熱媒水を熱交換器２１に送液する状態と，熱交換器２１を迂回させてバイパス路３１に送液する状態とに切り換えるように構成されている。なお，熱交換器２１としては，公知のプレート型熱交換器等を利用できる。
【００１８】
さて以上のように構成された本発明の第１の実施の形態にかかる予熱予冷設備１において，例えば夏期の冷房時などのように外気を冷却する場合は，弁２８を開いて弁２９を閉じ，弁３２を閉じて弁３３を開いた状態にする。この場合は，径路３０への熱媒の循環供給も停止する。これにより，ポンプ１７の稼働によって図１において循環径路１６を反時計回転方向に送液される熱媒水は，予熱予冷用の熱交換器１５から開放式冷却塔２０に送液され，外気によってほぼ湿球温度（ＷＢ）まで冷却される。こうして冷却された熱媒水は，熱交換器２１を迂回してバイパス路３１を通り，再び予熱予冷用の熱交換器１５に供給される。
【００１９】
そして空調機１０では，給気ファン１１の稼働により図１において右向きに外気が取り込まれ，ほぼ湿球温度（ＷＢ）まで冷却された熱媒水の冷熱によって予熱予冷用の熱交換器１５により外気が最初に予備的に冷却され，次に外気はフィルタ１４でろ過された後，冷却用の熱交換器１３によって所望の温湿度まで調温され，更に調湿される。こうして冷却した清浄な空気を作り出し，空調機１０から空調空間に給気することにより，冷房運転などを行う。なお例えば東北地方では乾球温度（ＤＢ）３２℃の外気は，湿球温度（ＷＢ）が２７℃程度であり，熱媒水が２７℃，外気が３２℃から２７℃まで冷却できる。
【００２０】
一方，冬期の暖房時などのように外気を加熱する場合は，弁３２を開いて弁３３を閉じた状態にして，径路３０へ別の系統の熱媒を循環供給する。これにより，ポンプ１７の稼働によって図１において循環径路１６を反時計回転方向に送液される熱媒水は，予熱予冷用の熱交換器１５から開放式冷却塔２０を通った後，熱交換器２１に送液され，径路３０を流れる別の系統の熱媒と熱交換を行うことにより，熱源水は加熱されることとなる。こうして加熱された熱媒水は，再び予熱予冷用の熱交換器１５に供給される。
【００２１】
そして空調機１０では，給気ファン１１の稼働により図１において右向きに外気が取り込まれ，熱媒によって加熱された熱媒水の温熱によって予熱予冷用の熱交換器１５により外気が最初に予備的に加熱され，次に外気はフィルタ１４でろ過された後，加熱用の熱交換器１２によって所望の温度まで加熱され，この状態の空気に例えば加湿を施すことにより調温調湿し，室内に供給する。こうして，暖房時においては加熱調湿した清浄な空気を作り出し，空調機１０から空調空間に給気することにより，暖房運転を行う。
【００２２】
従って，この予熱予冷設備１によれば，冷房時のように外気を冷却する場合には，開放式冷却塔２０によってほぼ湿球温度（ＷＢ）まで冷却された熱源水の冷熱を利用して外気を予備的に冷却することにより，空調機１０に設けられた冷却用の熱交換器１３によって外気を冷却処理するエネルギーを低減させることが可能となる。また暖房時のように外気を加熱する場合には，熱交換器２１によって加熱された熱媒水の温熱を利用して外気を予備的に加熱することにより，空調機１０に設けられた加熱用の熱交換器１２によって外気を加熱処理するエネルギーを低減させることが可能となる。このため，通年を通じて空調機１０における省エネルギー化をはかることができるようになる。
【００２３】
また図２で説明したような別の系統においては，冷凍機５０，５１や冷却塔５５に対して，熱交換器２１で予め冷却された熱媒が戻ることとなるので，冷凍機５０，５１や冷却塔５５などの熱源機器の省エネルギ化をはかることが可能となる。そのため，夏期等に外気の予冷に用いた冷却塔を前記の熱源機器の高効率運転に寄与せしめることができる。その場合に熱媒水の温度は，予熱予冷用の熱交換器１５の出口温度が１０℃のときに冷却塔２０の出口温度が６℃，熱交換器２１の出口温度が１３℃となる。その際に別の系統の熱媒の熱交換機器２１への入口温度が１７℃である場合にはその出口温度を１０℃まで冷却して返送することができるようになる。
【００２４】
なお冬期のように外気温度が低い場合は，弁２８を閉じて弁２９を開くことにより，図１の点線に示すバイパス路２７に熱源水を流通させても良い。そうすれば，熱源水が開放式冷却塔２０によって冷却されなくなるので，熱交換器２１や熱交換器１２の加熱負荷を更に低減することができる。
【００２５】
また，図１に示した実施の形態の予熱予冷設備１では，循環径路１６において開放式冷却塔２０，熱交換器２１の順に熱媒水が流れるように配置した例を説明したが，循環径路１６において熱交換器２１，開放式冷却塔２０の順に熱源水が流れるように配置しても構わない。また，図１の点線で示したバイパス路２７は省略しても良い。
【００２６】
次に図３は，本発明の第２の実施の形態にかかる予熱予冷設備２の説明図である。この予熱予冷設備２では，先に説明した本発明の第１の実施の形態の予熱予冷設備１における開放式冷却塔２０に代えて，密閉式冷却塔４０を循環径路１６に設けた点が異なっている。この予熱予冷設備２では，密閉式冷却塔４０の内部において循環径路１６の表面にノズル４１から冷却水を下向きに噴霧すると共に，ファン４２の稼働によって上向きに外気を送風することにより，水の蒸発潜熱を利用して循環径路１６を送液される熱媒水をほぼ湿球温度（ＷＢ）まで冷却することが可能である。ノズル４１から噴霧された冷却水は，ポンプ４３の稼働によって汲み上げられてノズル４１に再び供給されている。また，予熱予冷用の熱交換器１５は空調機１０の機外（空調機１０の上流）に設けられている。これらの点を除けば，この予熱予冷設備２は，先に説明した本発明の第１の実施の形態にかかる予熱予冷設備１と同様の構成を備えているので，図３において，先に図１で説明した構成要素と同じものについては同一の符号を付することにより，重複説明を省略する。
【００２７】
このように構成された本発明の第２の実施の形態にかかる予熱予冷設備２では，例えば夏期の冷房時のように外気を冷却する場合は，弁３２を閉じて弁３３を開いた状態にする。そして，密閉式冷却塔４０のポンプ４３を稼働することにより，循環径路１６の表面にノズル４１から冷却水を噴霧し，ファン４２の稼働によって送風される外気により，循環径路１６を送液される熱媒水をほぼ湿球温度（ＷＢ）まで冷却する。こうして冷却された熱媒水は，熱交換器２１を迂回してバイパス路３１を通り，再び予熱予冷用の熱交換器１５に供給されて，空調機１０の上流において外気を予備的に冷却することが可能となる。
【００２８】
また，冬期の暖房時のように外気を加熱する場合は，密閉式冷却塔４０のファン４２及びポンプ４３の稼働を停止させ，循環径路１６を流れる熱媒水を冷却しないようにすると共に，弁３２を開いて弁３３を閉じた状態にする。これにより熱媒水は，密閉式冷却塔４０では冷却されずに熱交換器２１に送液され，径路３０を流れる熱媒と熱交換を行うことにより加熱されることとなる。こうして加熱された熱媒水は，再び予熱予冷用の熱交換器１５に供給されて，空調機１０の上流において外気を予備的に加熱することが可能となる。
【００２９】
また一方，別の系統の熱媒を冷却することが特に必要な場合は，弁３２を開いて弁３３を閉じた状態にすると共に，密閉式冷却塔４０のポンプ４３を稼働することにより，循環径路１６の表面にノズル４１から冷却水を噴霧し，ファン４２の稼働によって送風される外気により，循環径路１６を送液される熱媒水をほぼ湿球温度（ＷＢ）まで冷却する。こうして冷却された熱媒水は熱交換器２１に送液され，径路３０を流れる熱媒と熱交換を行う。これにより，別の系統の熱媒を熱媒水によって効率よく冷却することが可能となる。なおこの場合，例えば弁３２，３３の開度を調節して熱交換器２１に送液される熱媒水の流量を調節することによって，熱媒の冷却効率を変化させることもできる。このように別の系統の熱媒の冷却を主眼にする場合は，密閉式冷却塔４０はそのまま稼動させればよい。なお，特に外気の温度が低い冬期などに密閉式冷却塔４０を稼働させる場合は，ノズル４１から循環径路１６の表面に噴霧される冷却水が凍結しないように，水抜きを行ったり凍結防止ヒータなどを設けると良い。
【００３０】
従って，この予熱予冷設備２によっても，先に説明した本発明の第１の実施の形態にかかる予熱予冷設備１と同様に，空調機１０における冷暖房の省エネルギー化をはかることができるようになる。また図２で説明したような別の系統においては，冷凍機５０，５１や冷却塔５５に対して，熱交換器２１で予め冷却された熱媒が戻ることとなるので，冷凍機５０，５１や冷却塔５５などの熱源機器の省エネルギ化をはかることが可能となる。そして特に，この予熱予冷設備２にあっては，密閉式冷却塔４０を用いることにより，熱媒水の劣化や設備の腐食などが抑制され，管理が容易であるといった利点がある。
【００３１】
なお，図３に示した実施の形態の予熱予冷設備２においても，循環径路１６において熱交換器２１，密閉式冷却塔４０の順に熱源水が流れるように配置しても構わない。また予熱予冷用の熱交換器１５は，コイルユニットなどとして，このコイルユニットを収納したダクトを空調機に接続する構成としてもよい。なお寒冷地では冬期において，従来は冷却用の熱交換器について凍結による破損の危険がつきまとっていた。この場合，熱交換器を水抜きをするには費用，労力が大がかりとなり，また従来は，液側に温水コイルや電気ヒータを設けたり，冷却用の熱交換器に凍結防止用ポンプを設けて器内の水を循環させていた。本発明によれば他系統の余剰熱を利用して予熱に供することにより，前記の凍結防止対策を無くし，あるいは仕様を低減することができる。
【００３２】
【発明の効果】
本発明の予熱予冷設備によれば，排熱や外気等の未利用エネルギーの活用により，外気を冷却，加熱処理するエネルギーを低減させることが可能となり，特にクリーンルームを設備する工場や電算センターのように周年を通じて２４時間運転をするような用途では省エネルギー効果が非常に大きい。請求項３の予熱予冷設備にあっては，密閉式冷却塔を用いたことにより，熱媒水の劣化や設備の腐食などが抑制され，管理が容易であるといった利点がある。
【図面の簡単な説明】
【図１】本発明の第１の実施の形態にかかる予熱予冷設備の説明図である。
【図２】熱交換器に熱媒を供給する別の系統の説明図である。
【図３】本発明の第２の実施の形態にかかる予熱予冷設備の説明図である。
【符号の説明】
１，２  予熱予冷設備
１０  空調機
１５  予熱予冷用の熱交換器
１６  循環径路
２０  開放式冷却塔
２１  熱交換器（加熱手段）
２７，３１  バイパス路
４０  密閉式冷却塔
【図１】
0004282837.tif 000002
【図２】
0004282837.tif 000003
【図３】
0004282837.tif 000004